(57)【特許請求の範囲】
【請求項１】
通信用の信号が伝送される複数の電線と、
各前記電線に接続される電線接続部と相手側の端子に接続される端子接続部とを有する複数の端子と、
前記複数の端子を収容するハウジングと、
前記複数の電線間を仕切る仕切り壁部と、を備え、
前記複数の電線が並んだ電線列が複数並列に配置されており、
前記仕切り壁部は、前記複数の電線列間に配される第１壁部と、前記第１壁部に立設され、各前記電線列における前記複数の電線間に配される第２壁部とを備え、
前記ハウジングは、前記端子接続部が収容される本体と、前記本体の後方に延び、前記電線接続部を載置する載置部が両面に形成された延出部とを備え、
前記延出部は、後端面に圧入孔が開口しており、
前記仕切り壁部は、前記第１壁部の前方に連なり、前記圧入孔に圧入して固定される圧入部を有する通信用コネクタ。
【請求項２】
前記各電線列は、それぞれＵＳＢ３．０の複数の第１電線を備え、前記各電線列について前記第２壁部で仕切られた前記複数の第１電線は、異なる前記電線列における前記複数の第１電線が対角の位置に配置されている請求項１に記載の通信用コネクタ。
【請求項３】
前記仕切り壁部は、前記第１壁部に前記第２壁部が立設された複数の仕切り板を連ねて形成されている請求項１又は請求項２に記載の通信用コネクタ。
【請求項４】
通信用の信号が伝送される複数の電線と、
各前記電線に接続される複数の端子と、
前記複数の端子を収容するハウジングと、
前記複数の電線間を仕切る仕切り壁部と、を備え、
前記複数の電線が並んだ電線列が複数並列に配置されており、
前記仕切り壁部は、前記複数の電線列間に配される第１壁部と、前記第１壁部に立設され、各前記電線列における前記複数の電線間に配される第２壁部とを備え、
前記仕切り壁部は、前記第１壁部に前記第２壁部が立設された複数の仕切り板を連ねて形成されている通信用コネクタ。
【請求項５】
前記複数の電線は、ＵＳＢ３．０の複数の第１電線を備えており、
前記仕切り壁部は、前記複数の第１電線間に配されている請求項４に記載の通信用コネクタ。
【請求項６】
前記複数の電線は、ＵＳＢ３．０の第１電線と、ＵＳＢ２．０の第２電線と、を備えており、
前記仕切り壁部は、前記第１電線と前記第２電線との間に配されている請求項１ないし請求項５のいずれか一項に記載の通信用コネクタ。
【請求項７】
前記複数の電線は、ＵＳＢ３．０の第１電線と、電源に接続された電源線と、を備えており、
前記仕切り壁部は、前記第１電線と前記電源線との間に配されている請求項１ないし請求項６のいずれか一項に記載の通信用コネクタ。
【請求項８】
前記仕切り壁部は、前記ハウジングに圧入して固定されている請求項４ないし請求項７のいずれか一項に記載の通信用コネクタ。
【請求項９】
前記ハウジングは、各前記端子が収容される複数のキャビティを備え、
車両に搭載されるものである請求項１ないし請求項８のいずれか一項に記載の通信用コネクタ。
【発明の詳細な説明】
【技術分野】
【０００１】
本発明は、通信用コネクタに関する。
【背景技術】
【０００２】
従来、通信用コネクタが知られている。特許文献１には、４つのＵＳＢプラグコネクタを受けることができる電気コネクタが記載されている。この電気コネクタは、ハウジングと、Ｌ字に屈曲された金属の棒からなる電気接点と、外部シールドと、内部シールドとを備えている。電気接点は、各ＵＳＢプラグコネクタごとに左右に複数並んで固定されている。
【先行技術文献】
【特許文献】
【０００３】
【特許文献１】特表２００８−５０７１１０号公報
【発明の概要】
【発明が解決しようとする課題】
【０００４】
ところで、導電体として金属の棒ではなく、電線を用いた場合、電線は、容易に撓むため、複数の電線間の間隔が大きく変わる箇所が生じうる。このように電線間の間隔が大きく変わる箇所は、電線のインピーダンスの変化点となって信号の反射を生じさせ通信品質を低下させることが懸念される。
【０００５】
本発明は上記のような事情に基づいて完成されたものであって、通信品質の低下を抑制することを目的とする。
【課題を解決するための手段】
【０００６】
本発明の通信用コネクタは、通信用の信号が伝送される複数の電線と、各前記電線に接続される電線接続部と相手側の端子に接続される端子接続部とを有する複数の端子と、前記複数の端子を収容するハウジングと、 前記複数の電線間を仕切る仕切り壁部と、を備え、前記複数の電線が並んだ電線列が複数並列に配置されており、前記仕切り壁部は、前記複数の電線列間に配される第１壁部と、前記第１壁部に立設され、各前記電線列における前記複数の電線間に配される第２壁部とを備え、前記ハウジングは、前記端子接続部が収容される本体と、前記本体の後方に延び、前記電線接続部を載置する載置部が両面に形成された延出部とを備え、前記延出部は、後端面に圧入孔が開口しており、前記仕切り壁部は、前記第１壁部の前方に連なり、前記圧入孔に圧入して固定される圧入部を有する。
本発明の通信用コネクタは、通信用の信号が伝送される複数の電線と、各前記電線に接続される複数の端子と、前記複数の端子を収容するハウジングと、前記複数の電線間を仕切る仕切り壁部と、を備え、前記複数の電線が並んだ電線列が複数並列に配置されており、前記仕切り壁部は、前記複数の電線列間に配される第１壁部と、前記第１壁部に立設され、各前記電線列における前記複数の電線間に配される第２壁部とを備え、前記仕切り壁部は、前記第１壁部に前記第２壁部が立設された複数の仕切り板を連ねて形成されている通信用コネクタ。
本構成によれば、仕切り壁部が複数の電線間を仕切るため、電線間の間隔が大きく変わる箇所が少なくなり、電線のインピーダンスの変化点における信号の反射等による通信品質の低下を抑制することができる。
【０００７】
本発明の実施態様としては以下の態様が好ましい。
・前記複数の電線は、ＵＳＢ３．０の第１電線と、ＵＳＢ２．０の第２電線と、を備えており、前記仕切り壁部は、前記第１電線と前記第２電線との間に配されている。
・前記複数の電線は、ＵＳＢ３．０の第１電線と、電源に接続された電源線と、を備えており、前記仕切り壁部は、前記第１電線と前記電源線との間に配されている。
【０００８】
・前記複数の電線は、ＵＳＢ３．０の複数の第１電線を備えており、前記仕切り壁部は、前記複数の第１電線間に配されている。
【０００９】
・前記各電線列は、それぞれＵＳＢ３．０の複数の第１電線を備え、前記各電線列について前記第２壁部で仕切られた前記複数の第１電線は、異なる前記電線列における前記複数の第１電線が対角の位置に配置されている。
【００１０】
・前記仕切り壁部は、前記第１壁部に前記第２壁部が立設された複数の仕切り板を連ねて形成されている。
・前記仕切り壁部は、前記ハウジングに圧入して固定されている。
・前記ハウジングは、各前記端子が収容される複数のキャビティを備え、通信用コネクタは車両に搭載されるものである。
【発明の効果】
【００１１】
本発明によれば、通信品質の低下を抑制することが可能になる。
【図面の簡単な説明】
【００１２】
【図１】実施形態１のシールド電線の端末部に接続された通信用コネクタを示す斜視図
【図２】シールド電線の端末部に接続された通信用コネクタを示す正面図
【図３】第２シールドケースを外した状態の通信用コネクタを示す斜視図
【図４】第２シールドケースを外した状態の通信用コネクタを示す平面図
【図５】第２シールドケース及びシールド電線を外した状態の通信用コネクタを示す斜視図
【図６】第２シールドケース及びシールド電線を外した状態の通信用コネクタを示す平面図
【図７】図６の状態の圧入孔の高さにおける平断面図
【図８】ハウジングに第１シールドケースが装着された状態を示す斜視図
【図９】図８の状態の圧入孔の高さにおける平断面図
【図１０】仕切り壁部を示す正面図
【図１１】仕切り板を示す斜視図
【図１２】仕切り板を示す平面図
【図１３】仕切り板を示す側面図
【図１４】実施形態２のシールド電線の端末部に接続された通信用コネクタを示す縦断面図
【図１５】第２シールドケースを外した状態のシールド電線の端末部に接続された通信用コネクタを示す斜視図
【図１６】第２シールドケースを外した状態のシールド電線の端末部に接続された通信用コネクタを示す平面図
【図１７】第２シールドケース及びシールド電線を外した状態の通信用コネクタを示す斜視図
【図１８】第２シールドケース及びシールド電線を外した状態の通信用コネクタを示す平面図
【図１９】図１８の状態の圧入孔の高さにおける平断面図
【図２０】ハウジングに第１シールドケースが装着された状態を示す斜視図
【図２１】図２０の状態の圧入孔の高さにおける平断面図
【図２２】仕切り壁部を示す斜視図
【図２３】仕切り壁部を示す平面図
【図２４】仕切り壁部を示す正面図
【図２５】仕切り壁部を示す側面図
【図２６】実施形態３の第２シールドケースを外した状態のシールド電線の端末部に接続された通信用コネクタを示す斜視図
【図２７】第２シールドケースを外した状態のシールド電線の端末部に接続された通信用コネクタを示す平面図
【図２８】第２シールドケースを外した状態のシールド電線の端末部に接続された通信用コネクタを示す背面図
【図２９】第２シールドケース、シールド電線及び端子を外した状態の通信用コネクタを示す斜視図
【図３０】第２シールドケース、シールド電線及び端子を外した状態の通信用コネクタを示す平面図
【図３１】ハウジングに第１シールドケースが装着された状態を示す斜視図
【図３２】実施形態４の第２シールドケースを外した状態のシールド電線の端末部に接続された通信用コネクタを示す斜視図
【図３３】第２シールドケースを外した状態のシールド電線の端末部に接続された通信用コネクタを示す平面図
【図３４】第２シールドケース及びシールド電線を外した状態の通信用コネクタを示す斜視図
【図３５】第２シールドケース及びシールド電線を外した状態の通信用コネクタを示す平面図
【図３６】図３５の状態の圧入孔の高さにおける平断面図
【図３７】ハウジングに第１シールドケースが装着された状態を示す斜視図
【図３８】図３７の状態の圧入孔の高さにおける平断面図
【図３９】仕切り壁部を示す斜視図
【図４０】仕切り壁部を示す平面図
【図４１】仕切り壁部を示す正面図
【図４２】仕切り壁部を示す側面図
【発明を実施するための形態】
【００１３】
＜実施形態１＞
実施形態１について、図１〜図１３を参照して説明する。通信用コネクタ１０は、例えば電気自動車やハイブリット自動車等の車両に搭載され、例えば車両内における車載電装品（ナビ、ＥＴＣ、モニタ等）と外部機器（カメラ等）との間や、車載電装品間の有線の通信経路に配される。以下では、上下方向（Ｙ軸）、左右方向（Ｘ軸）については、図２の方向を基準とし、前後方向（Ｚ軸）については、図４の左方を前方、右方を後方として説明する。
【００１４】
本実施形態の通信用コネクタ１０は、図３に示すように、複数（本実施形態では１０本）の電線１１（電線１１は、２組の第１電線１１Ａ〜１１Ｃからなる），１２（電線１２は、１組の第２電線１２Ａ，１２Ｂからなる），１３，１４を有するシールド電線１７と、各電線１１〜１４の端末部に接続された複数（本実施形態では１０個）の端子２０と、複数の端子２０を収容するハウジング３０と、ハウジング３０の後方に配され、ハウジング３０の後方に延びる複数の電線１１〜１４間を仕切る仕切り壁部４０と、ハウジング３０及び複数の電線１１〜１４を覆うシールドケース５０（図１参照）と、を備えている。
【００１５】
（シールド電線１７）
シールド電線１７は、ＵＳＢ(Universal Serial Bus)３．０規格の通信が可能な電線であって、１０本の電線１１〜１４と、１０本の電線１１〜１４を一括して包囲し、金属細線を編み込んで構成された編組線からなるシールド層（図示しない）と、シールド層の外周を覆い、絶縁性の合成樹脂からなる絶縁被覆１５とを備えている。
【００１６】
（電線１１〜１４）
１０本の電線１１〜１４のうち、電線１１は、２組のＵＳＢ３．０組（シールドとドレイン線付の差動ペア・ケーブル）であり、電線１２は、１組のＵＳＢ２．０組（シールドなしのツイスト・ペア・ケーブル）であり、電線１３は、電源に接続される１本の電源線１３であり、電線１４は、グランドに接続される１本のグランド線１４である。
【００１７】
各電線１１〜１４は、金属線からなる導体部を、絶縁性の合成樹脂からなる絶縁層で被覆したものである。シールド電線１７のシールド層及び絶縁被覆１５の端末よりも前方に延びる１０本の電線１１〜１４の端末部は、絶縁層が剥ぎ取られ、端子２０と接続される導体部が露出している。電線１１〜１４は、先端側に向けて５本ずつ上下に分けられ、上下に５本ずつ横一列に並んで上下の電線列１６Ａ，１６Ｂを構成している。
【００１８】
（端子２０）
端子２０は、図５に示すように、前方側が角筒状の端子接続部２１とされ、端子接続部２１の後方側に電線１１〜１４の導体部に接続される電線接続部２３が一体に形成されている。端子接続部２１には、相手側のオス端子に接続される弾性接触片２２（図１４参照）が設けられている。電線接続部２３は、底板２４と、底板２４の側縁から延びる一対のバレル片２５を有する。電線１１〜１４の導体部は、例えば、底板２４への半田付けや溶接等により、電線接続部２３と電気的に接続される。
【００１９】
（ハウジング３０）
ハウジング３０は、図８に示すように、絶縁性の合成樹脂製であって、各端子２０の端子接続部２１が収容される本体３１と、本体３１の後方に厚み寸法を小さくして延びる延出部３６とを備える。本体３１は、直方体状であって、端子２０が収容されるキャビティ３２が上下２段、左右に５個、間隔を空けて並んで配置されている。
【００２０】
各キャビティ３２は、端子接続部２１の外周形状に応じた矩形状の断面を有し、端子接続部２１の長さに応じて前後方向に延びている。キャビティ３２の前端部には、端子２０の前方への移動を規制する前止まり壁３４（図１４参照）が形成されている。前止まり壁３４は、キャビティ３２の孔径を段差状に縮径することで形成される。キャビティ３２の内壁には、端子接続部２１に係止して端子２０の後方側への抜けを規制する撓み変形可能な抜け規制片が前方側に片持ち状に延びている。
【００２１】
延出部３６は、本体３１の後端における上下方向の中間部から板状に後方に延びており、図８に示すように、各端子２０の電線接続部２３を載置可能に並んだ溝状の複数の載置部３７と、延出部３６の後端面に開口する圧入孔３８Ａ，３８Ｂとを有する。載置部３７は、底面３７Ａと、底面３７Ａの両側縁から起立する溝壁３７Ｂを有し、延出部３６の上面と底面のそれぞれに端子２０の数に応じて左右に並んで形成されている。底面３７Ａは、中間側が低くなるようにわずかに湾曲しているとともに、先端側が前方側に向けて低くなるように傾斜する傾斜面３７Ｃを有する。溝壁３７Ｂは、前方側に向けて底面３７Ａを狭くするように傾斜してキャビティ３２に連なっている。
【００２２】
圧入孔３８Ａ，３８Ｂは、圧入部４４が圧入される深さで延出部３６の後端面に凹設されている。圧入孔３８Ａ，３８Ｂは、わずかに異なる高さに左右一対設けられ、中間部側が上下に重なるように配置されている。
【００２３】
（仕切り壁部４０）
仕切り壁部４０は、図１０，図１１に示すように、２個の仕切り板４１，４１を連ねて構成されている。２個の仕切り板４１，４１は、同一形状であって、アルミニウム、アルミニウム合金、銅、銅合金等の金属板材に打ち抜き加工及び曲げ加工を施して形成され、左右方向に延びる長方形の板状の第１壁部４２と、第１壁部４２の一方の側縁から起立する第２壁部４３と、第１壁部４２の他方の側縁から第２壁部４３とは反対側に起立するケース接続部４５と、第１壁部４２の前方に面一に連なり圧入孔３８Ａ，３８Ｂに圧入される圧入部４４と、を備えている。
【００２４】
第２壁部４３は、長方形状であって、第１壁部４２の側縁の全長に形成されている。第２壁部４３の高さは、第２シールドケース５７の内壁に当接する高さとされている。ケース接続部４５は、第２シールドケース５７の内壁に弾性接触する撓み片４６を有する。撓み片４６は、後端側を基端として前方側に片持ち状に延びている。圧入部４４は、第１壁部４２のほぼ全幅に形成されており、先端側の両側縁部が傾斜状に切り欠かれて先端側が細くなっている。
【００２５】
２個の仕切り板４１，４１は、表裏を反対にして第２壁部４３を内側としケース接続部４５を外側とする所定の位置で左右に連ねることで、左右に並んだ電線１１〜１４間を第２壁部４３が仕切る仕切り壁部４０が構成される。第２壁部４３によって仕切られた左右の領域のうち、広い側に複数の第１電線１１Ａ〜１１Ｃが間隔を空けて配され、狭い側に複数の第２電線１２Ａ，１２Ｂ又は電源線１３とグランド線１４が間隔を空けて配される。上下の電線列１６Ａ，１６Ｂは、各第１電線１１Ａ〜１１Ｃが互いに対角の位置（遠い側の領域）に配置される。なお、第２壁部４３は、各第１電線１１Ａ〜１１Ｃ間や、第２電線１２Ａ，１２Ｂ間や、電源線１３とグランド線１４との間には配されていない（個別の各電線ごとには設けられていない）。
【００２６】
（シールドケース５０）
シールドケース５０は、図１に示すように、ハウジング３０の本体３１を覆う第１シールドケース５１と、第１シールドケース５１の後方に配されて複数の電線１１〜１４を覆う第２シールドケース５７とを備えている。第１シールドケース５１は、アルミニウムやアルミニウム合金等の金属製であって、図３に示すように、ハウジング３０を包囲する角筒状のハウジング包囲部５２と、第２シールドケース５７に接続される連結接続部５４とを備えている。ハウジング包囲部５２の左右の側面部には弾性変形可能な撓み片からなる被係止部５３が設けられている。ハウジング３０の後方側から第１シールドケース５１をハウジング３０に嵌め入れると、被係止部５３は、ハウジング３０の側面を切り欠いて形成された係止部３３（図７参照）に係止する。連結接続部５４は、ハウジング包囲部５２の側面部の後端から後方に板状に延びており、係止片５５を有する。係止片５５は、弾性変形可能な撓み片であり、第２シールドケース５７の内面に接触することで第２シールドケース５７と電気的に接続される。
【００２７】
第２シールドケース５７は、アルミニウムやアルミニウム合金等の金属製であって、図１に示すように、前方側が開口した箱形の電線シールド部５８と、シールド電線１７に外嵌する円筒形状のシールド接続部５９とを備えている。電線シールド部５８は、複数の電線１１〜１４の全体を包囲している。シールド接続部５９は、例えばシールド電線１７の端末部において絶縁被覆１５の外側に折り返したシールド層に接続される。シールド接続部５９とシールド層との固定は例えば溶接や圧着等により行うことができる。
【００２８】
本実施形態によれば、以下の作用、効果を奏する。
本実施形態によれば、仕切り壁部４０が複数の電線１１〜１４間を仕切るため、複数の電線１１Ａ〜１１Ｃ，１２Ａ，１２Ｂ，１３，１４の位置がずれて電線１１Ａ〜１１Ｃ，１２Ａ，１２Ｂ，１３，１４間の間隔が大きく変わる箇所が少なくなるため、電線のインピーダンスの変化点における信号の反射等による通信品質の低下を抑制することができる。
【００２９】
また、複数の電線１１〜１４は、ＵＳＢ３．０の第１電線１１Ａ〜１１Ｃと、ＵＳＢ２．０の第２電線１２Ａ，１２Ｂと、を備えており、仕切り壁部４０は、第１電線１１Ａ〜１１Ｃと第２電線１２Ａ，１２Ｂとの間に配されているため、第１電線１１Ａ〜１１Ｃと第２電線１２Ａ，１２Ｂとの間の通信品質の低下を抑制することができる。
【００３０】
さらに、複数の電線１１〜１４は、ＵＳＢ３．０の第１電線１１Ａ〜１１Ｃと、電源に接続された電源線１３と、を備えており、仕切り壁部４０は、第１電線１１Ａ〜１１Ｃと電源線１３との間に配されているため、電源線１３による第１電線１１Ａ〜１１Ｃの通信品質の低下を抑制することができる。
【００３１】
また、複数の電線１１〜１４は、ＵＳＢ３．０の複数の第１電線１１Ａ〜１１Ｃを備えており、仕切り壁部４０は、複数の第１電線１１Ａ〜１１Ｃ間に配されているため、複数の第１電線１１Ａ〜１１Ｃ間の通信品質の低下を抑制することができる。
【００３２】
さらに、複数の電線１１〜１４が並んだ電線列１６Ａ，１６Ｂが複数並列に配置されており、仕切り壁部４０は、複数の電線列１６Ａ，１６Ｂ間に配されているため、電線列１６Ａ，１６Ｂ間の通信品質の低下を抑制することができる。
【００３３】
また、仕切り壁部４０は、複数の電線列１６Ａ，１６Ｂ間に配される第１壁部４２と、第１壁部４２に立設され、各電線列１６Ａ，１６Ｂにおける複数の電線１１〜１４間に配される第２壁部４３とを備えるため、複数段、複数列の電線１１〜１４間の通信品質の低下を抑制することができる。
【００３４】
さらに、各電線列１６Ａ，１６Ｂは、それぞれＵＳＢ３．０の複数の第１電線１１Ａ〜１１Ｃを備え、各電線列１６Ａ，１６Ｂについて第２壁部４３で仕切られた複数の第１電線１１Ａ〜１１Ｃは、異なる電線列１６Ａ，１６Ｂにおける複数の第１電線１１Ａ〜１１Ｃが対角の位置に配置されている。
このようにすれば、異なる電線列１６Ａ，１６Ｂの第１電線１１Ａ〜１１Ｃを対角に配置することで、異なる電線列１６Ａ，１６Ｂの第１電線１１Ａ〜１１Ｃが遠い位置に配されるため、より一層、異なる電線列１６Ａ，１６Ｂの複数の第１電線１１Ａ〜１１Ｃ間の通信品質の低下を抑制することができる。
【００３５】
また、仕切り壁部４０は、第１壁部４２に第２壁部４３が立設された複数の仕切り板４１，４１を連ねて形成されているため、仕切り壁部４０の形成が容易になる。
【００３６】
さらに、仕切り壁部４０は、ハウジング３０に圧入して固定されているため、簡素な構成で仕切り壁部４０を確実にハウジング３０に固定することができる。
【００３７】
また、ハウジング３０は、各端子２０が収容される複数のキャビティ３２を備えるため、通信用コネクタ１０を車両に搭載しても車両の振動等による不具合を抑制することができる。
【００３８】
＜実施形態２＞
次に、本発明の実施形態２を図１４ないし図２５を参照して説明する。実施形態１と同一の構成については同一の符号を付して説明を省略する。
実施形態１では仕切り壁部４０を２枚の仕切り板４１，４１から形成したが、実施形態２の通信用コネクタは、１枚の金属板材に打ち抜き加工及び曲げ加工を施して仕切り壁部７０を形成したものである。
【００３９】
図２０，図２１に示すように、ハウジング６１の厚みを小さくして後方に延びる延出部６２には、各端子２０の電線接続部２３が載置可能に並んだ溝状の載置部３７が延出部６２の上面及び下面に形成されている。延出部６２の後端面には、３個の圧入孔６３Ａ〜６３Ｃが間隔を空けて形成されている。圧入孔６３Ａ〜６３Ｃは、中間側の圧入孔６３Ｂの幅が他の２つの圧入孔６３Ａ，６３Ｃの幅よりも大きくなっている。
【００４０】
仕切り壁部７０は、図２２に示すように、左右方向に延びる第１壁部７１と、圧入孔６３Ａ〜６３Ｃに圧入される３つの圧入部７２Ａ〜７２Ｃと、共に第１壁部７１から起立する複数の第２壁部７３，第３壁部７７及びケース接続部７４とを備えている。第１壁部７１は、ハウジング６１の全幅に亘って形成され、延出部６２の後方に連なる。第２壁部７３は、第１壁部７１の上方及び下方に起立しており、上側の第２壁部７３は、中間部よりも左右方向の一方の側に配され、下側の第２壁部７３は、中間部よりも左右方向の他方の側に間隔を空けて配されている。第２壁部７３は、金属板材を折り返して形成されている。
【００４１】
上側の第２壁部７３と第３壁部７７との間には、２本の第２電線１２Ａ，１２Ｂが挿通され、上側の第２壁部７３の右側には、３本の第１電線１１Ａ〜１１Ｃが間隔を空けて挿通される。下側の第２壁部７３と第３壁部７７との間には、電源線１３とグランド線１４が挿通され、第２壁部７３の左側には、第１電線１１Ａ〜１１Ｃが互いに間隔を空けて挿通される。第２壁部７３と第３壁部７７の前方には、電線１１〜１４を所定の経路に導く電線ガイド部７６が形成されている。電線ガイド部７６は、第２壁部７３と第３壁部７７の間を拡径する方向に延びている。電線１１〜１４の外周が電線ガイド部７６に支持されることで電線１１〜１４を電線ガイド部７６で保護しつつ案内することができる。
【００４２】
３つの圧入部７２Ａ〜７２Ｃは、中間側の圧入部７２Ｂの幅が他の２つの圧入部７２Ａ，７２Ｃの幅よりも大きくなっている。圧入部７２Ａ〜７２Ｃは、先端部の側縁が傾斜状に切り欠かれて先端部がわずかに細くなっている。圧入部７２Ａ〜７２Ｃが圧入孔６３Ａ〜６３Ｃに圧入されることで仕切り壁部７０がハウジング６１に固定される（図１９参照）
【００４３】
ケース接続部７４は、第１壁部７１の両側縁部に一対設けられ、第１壁部７１に対して互いに反対方向に起立しており、撓み変形可能な弾性接触片７５が後方側を基端として前方側に片持ち状に延びている。
【００４４】
＜実施形態３＞
次に、本発明の実施形態３を図２６ないし図３１を参照して説明する。
実施形態３は、図２６に示すように、端子８１の電線接続部８２は、電線１１〜１４を圧着により接続するものである。上記実施形態と同一の構成については同一の符号を付して説明を省略する。
【００４５】
端子８１の電線接続部８２は、底板の両側縁から起立する一対のワイヤバレル部８３と、一対のインシュレーションバレル部８４とを有する。ワイヤバレル部８３は、電線１１〜１４の端末部に露出した導体部を圧着し、インシュレーションバレル部８４は、電線１１〜１４の絶縁被覆をかしめて保持する。
【００４６】
ハウジング８６の厚みを小さくして後方に延びる延出部８８には、図２９に示すように、上面と底面のそれぞれに電線接続部８２が載置される複数の載置部８７が並んで形成されている。各載置部８７は、電線接続部８２の幅寸法に応じた溝状に形成されており、底面８７Ａと、底面８７Ａの両側縁から起立する溝壁８７Ｂを有し、電線接続部８２が嵌め入れられる。
【００４７】
＜実施形態４＞
次に、本発明の実施形態４を図３２ないし図４２を参照して説明する。
実施形態４の通信用コネクタは、仕切り壁部９５を導電性樹脂により形成したものである。上記実施形態と同一の構成については同一の符号を付して説明を省略する。
図３７，図３８に示すように、ハウジング９１の厚み寸法を小さくして後方に延出する延出部９２の後端面には、圧入孔９３がハウジング９１のほぼ全幅に亘って所定の深さで凹設されている。圧入孔９３の上下方向の孔径は、上記実施形態の圧入孔の孔径よりも大きくなっている。
【００４８】
仕切り壁部９５は、図３９に示すように、ハウジング９１と幅寸法に応じた長さで左右方向に延びる第１壁部９６と、第１壁部９６に立設され、複数の電線１１〜１４を仕切る第２壁部９７と、圧入孔９３に圧入される圧入部９８と、第２シールドケース５７に接続されるケース接続部９９とを備えている。第２壁部９７は、上下一対設けられており、上方側が左右方向の中間部よりも一方のケース接続部９９側に配され、下方側が左右方向の中間部よりも他方のケース接続部９９側に配されている。
【００４９】
圧入部９８は、第１壁部９６の前方に面一に連なっており、左右の側縁の先端側が傾斜状に切り欠かれている。ケース接続部９９は、第１壁部９６の両側縁部から互いに反対方向に起立している。ケース接続部９９の外面には、第２シールドケース５７の内面と接触する接点部１００が半球状に突出している。
【００５０】
仕切り壁部９５を形成する導電性樹脂としては、種々の公知のものを用いることができ、高分子の構造に由来する導電性を有する導電性プラスチックや、非導電性プラスチックに無機導電体を加えることで導電性を有するものを用いてもよい。
実施形態４によれば、仕切り壁部９５は、導電性樹脂からなるため、樹脂の特性により形状の加工を容易に行いつつ電線間をシールドすることができる。
【００５１】
＜他の実施形態＞
本発明は上記記述及び図面によって説明した実施形態に限定されるものではなく、例えば次のような実施形態も本発明の技術的範囲に含まれる。
（１）仕切り壁部４０，７０，９５は、第１壁部４２，７１，９６と第２壁部４３，７３，９７とを備えたが、参考例として、第１壁部４２，７１，９６と第２壁部４３，７３，９７の一方のみを備えるようにしてもよい。
【００５２】
（２）異なる電線列１６Ａ，１６Ｂの第１電線１１は、対角に配置されたが、対角でなくてもよい。
【００５３】
（３）電線１１〜１４の本数は、上記した本数に限られない。また、仕切り壁部４０が電線１１〜１４を仕切る箇所は、電線の本数や電線の種類等に応じて任意に設定することができる。
【符号の説明】
【００５４】
１０：  通信用コネクタ
１１Ａ〜１１Ｃ（１１）：  第１電線
１２Ａ，１２Ｂ（１２）：  第２電線
１３：  電源線
１４：  グランド線
１６Ａ，１６Ｂ：  電線列
１７：  シールド電線
２０，８１：  端子
３０，６１，８６，９１：  ハウジング
３２：  キャビティ
３６，６２，８８，９２：  延出部
３７，８７：  載置部
３８Ａ，３８Ｂ，６３Ａ〜６３Ｃ，９３：  圧入孔
４０，７０，９５：  仕切り壁部
４１，４１：  ２個の仕切り板
４２，７１，９６：  第１壁部
４３，７３，９７：  第２壁部
４４，７２Ａ〜７２Ｃ，９８：  圧入部
４５，７４，９９：  ケース接続部
５０：  シールドケース
【図１】
0006330587.tif 000002
【図２】
0006330587.tif 000003
【図３】
0006330587.tif 000004
【図４】
0006330587.tif 000005
【図５】
0006330587.tif 000006
【図６】
0006330587.tif 000007
【図７】
0006330587.tif 000008
【図８】
0006330587.tif 000009
【図９】
0006330587.tif 000010
【図１０】
0006330587.tif 000011
【図１１】
0006330587.tif 000012
【図１２】
0006330587.tif 000013
【図１３】
0006330587.tif 000014
【図１４】
0006330587.tif 000015
【図１５】
0006330587.tif 000016
【図１６】
0006330587.tif 000017
【図１７】
0006330587.tif 000018
【図１８】
0006330587.tif 000019
【図１９】
0006330587.tif 000020
【図２０】
0006330587.tif 000021
【図２１】
0006330587.tif 000022
【図２２】
0006330587.tif 000023
【図２３】
0006330587.tif 000024
【図２４】
0006330587.tif 000025
【図２５】
0006330587.tif 000026
【図２６】
0006330587.tif 000027
【図２７】
0006330587.tif 000028
【図２８】
0006330587.tif 000029
【図２９】
0006330587.tif 000030
【図３０】
0006330587.tif 000031
【図３１】
0006330587.tif 000032
【図３２】
0006330587.tif 000033
【図３３】
0006330587.tif 000034
【図３４】
0006330587.tif 000035
【図３５】
0006330587.tif 000036
【図３６】
0006330587.tif 000037
【図３７】
0006330587.tif 000038
【図３８】
0006330587.tif 000039
【図３９】
0006330587.tif 000040
【図４０】
0006330587.tif 000041
【図４１】
0006330587.tif 000042
【図４２】
0006330587.tif 000043